(57)【特許請求の範囲】
【請求項１】
折り曲げられた一枚の紙シートもしくは重ね合わされた複数枚の紙シートからなり、四辺のうち連続する一組の二辺が閉じられ、他の二辺が開放されて、内部に書類を収容できるようにした書類ホルダーであって、
正図柄が印刷された少なくとも一つの外側印刷面と、
前記外側印刷面が設けられた紙シートの裏面であり、前記正図柄を反射した反射図柄が前記正図柄のインキ量の２０〜８０％のインキ量で薄く印刷された裏側印刷面とを備えたことを特徴とする書類ホルダー。
【請求項２】
前記外側印刷面を２つ設け、前記裏側印刷面のそれぞれに、対応する外側印刷面の前記正図柄を反射した反射図柄が前記正図柄のインキ量の２０〜８０％のインキ量で薄く印刷されたことを特徴とする請求項１記載の書類ホルダー。
【請求項３】
前記インキ量は３５〜６５％であることを特徴とする請求項１または２記載の書類ホルダー。
【請求項４】
前記インキ量は５０％であることを特徴とする請求項３記載の書類ホルダー。
【請求項５】
前記紙シートの全ての外側印刷面、裏側印刷面に全面印刷を施すようにしたことを特徴とする請求項１乃至４の何れか１項に記載の書類ホルダー。
【発明の詳細な説明】
【技術分野】
【０００１】
本発明は、紙で構成した書類ホルダーに関する。
【背景技術】
【０００２】
従来、カタログ、パンフレット、チラシ、説明資料、広告資料、文献、写真等の各種資料を収容するために、いわゆるクリアファイル、ＰＰファイル等と称される合成樹脂製の透明な書類ホルダーが使用されている。
そして、意匠性、機能性の観点から、下記特許文献に示されるように、このような書類ホルダーにワープロやパソコン等プリンターで任意に図柄やメッセージ等を印刷できるようにしたものも提案されている。
【先行技術文献】
【特許文献】
【０００３】
【特許文献１】実用新案登録第３０４４２０３号公報
【発明の概要】
【発明が解決しようとする課題】
【０００４】
従来の大量に使用されている書類ホルダーは、合成樹脂で構成されているため、環境上の問題があり、代替品として、紙で構成された書類ホルダーの提案が求められていた。しかしながら、紙で書類ホルダーを構成した場合、透明感がなく、意匠性に乏しいという不都合も有していた。また、紙で書類ホルダーを構成した場合に、ＰＰフィルム等の保護フィルムで保護しないでも、強度に優れたものに構成することも望まれている。
そこで、本発明は紙で構成してあるにもかかわらず透明感を有し意匠性に優れた書類ホルダーを提供しようとするものである。
【課題を解決するための手段】
【０００５】
本発明者が鋭意検討を重ねた結果、書類ホルダーを紙で構成しても、書類ホルダーの外側に設けた外側印刷面に対して、その外側印刷面の裏面に前記外側印刷面に印刷された正図柄を反射した反射図柄を該外側印刷面のインキ量の２０〜８０％のインキ量で薄く印刷した裏側印刷面を設けることにより、従来のクリアファイルのような透明感を与えることができることを知見した。
本発明の書類ホルダーは前記知見に基づきなされたもので、折り曲げられた一枚の紙シートもしくは重ね合わされた複数枚の紙シートからなり、四辺のうち連続する一組の二辺が閉じられ、他の二辺が開放されて、内部に書類を収容できるようにした書類ホルダーであって、正図柄が印刷された少なくとも一つの外側印刷面と、前記外側印刷面が設けられた紙シートの裏面であり、前記正図柄を反射した反射図柄が前記正図柄のインキ量の２０〜８０％のインキ量で薄く印刷された裏側印刷面とを備えたことを特徴とする。
請求項２記載の書類ホルダーは、請求項１記載の書類ホルダーにおいて、前記外側印刷面を２つ設け、前記裏側印刷面のそれぞれに、対応する前記正図柄を反射した反射図柄が前記正図柄のインキ量の２０〜８０％のインキ量で薄く印刷されたことを特徴とする。
請求項３記載の書類ホルダーは、請求項１または２記載の書類ホルダーにおいて、前記インキ量は３５〜６５％であることを特徴とする。
請求項４記載の書類ホルダーは、請求項３載の書類ホルダーにおいて、前記インキ量は５０％であることを特徴とする。
請求項５記載の書類ホルダーは、請求項１乃至４の何れか１項に記載の書類ホルダーにおいて、前記紙シートの全ての外側印刷面、裏側印刷面に全面印刷を施すようにしたことを特徴とする。
【発明の効果】
【０００６】
本発明によれば、紙で構成したにもかかわらず、透明感を有し意匠性に優れた書類ホルダーを提供できる。
【図面の簡単な説明】
【０００７】
【図１】本発明書類ホルダーの一実施の形態を構成する紙シートを正面からみた図
【図２】同紙シートを裏面から見た図
【図３】同紙シートで構成した本発明書類ホルダーを正面からみた図
【図４】同書類ホルダーを背面からみた図
【図５】同書類ホルダーの正面側紙シート部をめくった状態を正面からみた図
【図６】同書類ホルダーの背面側紙シート部をめくった状態を背面からみた図
【発明を実施するための形態】
【０００８】
本発明の書類ホルダーは折り曲げられた一枚の紙シートもしくは重ね合わされた複数枚の紙シートからなる。書類ホルダーは、四辺のうち連続する一組の二辺が閉じられ、他の二辺が開放されて、内部に書類を収容できるようにした。書類ホルダーは、正図柄が印刷された少なくとも一つの外側印刷面を有する。また、書類ホルダーは、外側印刷面が設けられた紙シートの裏面である裏側印刷面を有する。裏側印刷面は、正図柄を反射した反射図柄が正図柄のインキ量の２０〜８０％のインキ量で薄く印刷されている。
書類ホルダーは、外側印刷面を設けた紙シートを開いた際に裏側印刷面が同時に視覚に捉えられ、看者に透明感を与えることとなる。この場合、外側印刷面を２つ設け、裏側印刷面のそれぞれに、対応する外側印刷面の正図柄を反射した反射図柄が正図柄のインキ量の２０〜８０％のインキ量で薄く印刷されるようにすれば、より透明感に優れたものとなる。
本発明者の検討によればインキ量は３５〜６５％、特に５０％の場合に優れた透明感が得られる。
【０００９】
紙シートは、アート紙、コート紙、上質紙、カード紙等の紙で構成する。
書類ホルダーの形状は、特に限定されるものでないが、例えば、クリアファイル、ＰＰファイル等と称される書類ホルダーの形状に形成すればよい。通常は一枚の矩形の紙シートを中心線に沿って折り曲げ、この有り曲げて形成された一辺と直交する一辺のみを糊付け、あるいは、両面粘着テープ等を用いて接合させて書類を収容できるような形状に形成すればよい。また、前記のように一枚の紙シートを折り曲げて書類ホルダーに形成してもよいが、複数枚の紙シートを用意して、これらを重ね合わせ、必要部分のみを接合させて書類を収容できるような形状に形成してもよい。
また、書類ホルダーの内部に仕切り用の紙シートを介在させて、書類の収容部分を複数個に区画形成してもよい。
【００１０】
書類ホルダーの大きさは、Ａ４版、Ａ５版等の各種書類の規格に合わせた大きさに形成するのが保存上、管理上の観点からも便利であるが、特にその大きさは限定されるものではない。
【００１１】
前記書類ホルダーを構成する紙シートの全ての外側印刷面、裏側印刷面に全面印刷を施すようにすれば印刷面によって書類ホルダーの強度が著しく高められる。
【００１２】
インキとしては通常の印刷用の各種インキはもとより、いわゆるトナーインキ等も含まれる。
インキ量についてはインキ量自体で調整する場合はもとより、メジウム等で希釈した結果、その使用インキ量を少なくする場合も含まれる。
【００１３】
反射図柄については、正図柄と完全に同一の図柄に限らず、看者が図柄が反射した印象を持つ図柄を含むものである。具体的には、正図柄を完璧に反射した図柄と「反射図柄」との面積的な一致が、７０〜１００％のものが含まれる。
また、図柄は写真、イラストはもとより無地のものも含まれる。無地の場合には、単に外側印刷面に印刷された色彩が所定のインキ量で薄くなったものが、裏側印刷面に印刷されることになる。
【００１４】
外側印刷面、裏側印刷面の印刷は、オフセット印刷、活版印刷、グラビア印刷、シルク印刷、デジタル印刷等その種類は限定されないが、小ロット印刷ができる観点からは、デジタル印刷が適している。
【実施例】
【００１５】
次ぎに、図面に基づき本発明の実施例を説明する。
図１及び図２は図３乃至図６に示される書類ホルダー１を構成するための紙シート１０を示す。紙シート１０はカード紙（四六版，１８０ｋｇ）からなり、中心線Ｌに沿って折り曲げ、このように折り曲げて形成された折り曲げ部１１を介して連続する正面側紙シート部１２と背面側紙シート部１３とが重ね合わされている。紙シート１０は、背面側紙シート部１３の折り曲げ部１１に直交して連続する一辺に形成した糊代１４を利用して両面粘着テープ１５を用いて、正面側紙シート部１２と背面側紙シート部１３が接合されている。これにより、紙シート１０は、四辺のうち連続する一組の二辺が閉じられ、他の二辺が開放されて、内部に書類を収容できるＡ４サイズの書類ホルダー１に形成されている。
尚、正面側紙シート部１２の折り曲げ部１１の対向辺、即ち、開放側の一端には書類ホルダー１を開きやすくするための切り欠き１６を設け、既存のクリアファイルの形状に似た形状とした。
【００１６】
図１乃至図６に示されるように、紙シート１０の正面側紙シート部１２の外側印刷面１２ａには、「HAVE A NICE DAY !」の濃い文字が印刷されている。背面側紙シート部１３の外側印刷面１３ａには、濃い星模様が印刷されている。
また、図２に示されるように、紙シート１０の正面側紙シート部１２の裏側印刷面１２ｂには、外側印刷面１２ａに印刷された「HAVE A NICE DAY !」が反射した薄い文字が印刷されている。背面側紙シート部１３の裏側印刷面１３ｂには、外側印刷面１３ａに印刷された星模様が反射した薄い星模様が印刷されている。
尚、裏側印刷面１２ｂの文字は、外側印刷面１２ａの文字（正図柄）と対応する反射図柄で、インキ量（濃度）を５０％にして薄くした。
また、裏側印刷面１３ｂの星模様は、外側印刷面１３ａの星模様（正図柄）と対応する反射図柄で、インキ量を５０％にして薄くした。
【００１７】
図５に示されるように、濃い文字が印刷された外側印刷面１２ａを設けた正面側紙シート部１２を開くと、この文字が反射した薄い文字が印刷された裏側印刷面１２ｂが現れ透明感を感じることとなる。また、図６に示されるように、濃い星模様の外側印刷面１３ａを設けた背面側紙シート部１３を開くと、この星模様が反射した薄い星模様の裏側印刷面１３ｂが現れ透明感を感じることとなる。
本実施例に代えて、紙シート１０の外面、裏面に全面印刷を施すようにすれば、紙にもかかわらず強度に優れたものとなる。
【産業上の利用可能性】
【００１８】
本発明によれば、紙で構成してあるにもかかわらず透明感を有し意匠性に優れた書類ホルダーを提供できるため産業上有用である。
【符号の説明】
【００１９】
１  書類ホルダー
１０  紙シート
１１  折り曲げ部
１２  正面側紙シート部
１２ａ  外側印刷面
１２ｂ  裏側印刷面
１３  背面側紙シート部
１３ａ  外側印刷面
１３ｂ  裏側印刷面
１４  糊代
１５  両面粘着テープ
１６  切り欠き
Ｌ  中心線
【図１】
0006774672.tif 000002
【図２】
0006774672.tif 000003
【図３】
0006774672.tif 000004
【図４】
0006774672.tif 000005
【図５】
0006774672.tif 000006
【図６】
0006774672.tif 000007